(57)【要約】【課題】従来の街灯は、地中に基礎架台を埋設して設置するため土木工事及び電設工事が必要で手間と設置費用が嵩み、まして移動や移設は非常に困難であった。本発明は、基礎架台をベンチと兼用することにより、移動や移設等が簡単で、しかも設置工事が不要で工期の短縮により工事費の低減が図れことになり、利用者側には、休息の場を提供することができる装置を提供することのある。【解決手段】太陽電池、蓄電池、複数のＬＥＤ灯具、支柱、基礎架台等を含む太陽電池付きＬＥＤ街路灯において、これらの装備をした支柱をベンチ等のような基礎架台とし、形状を三角形や十文字型等形状とし、倒れにくい構造で地面に傾斜や凹凸があっても支柱が垂直になるように調整具で設置できるようにする。このことにより移動や移設等が可能になり更に、固定を確実にする為にアンカー等で地中に取り付けてもよいようにする。【選択図】「図１」
2005056807.tif 000002
【特許請求の範囲】
【請求項１】
太陽電池、蓄電池、複数のＬＥＤ灯具、支柱、基礎架台等を含む太陽電池付きＬＥＤ街灯において、太陽電池、蓄電池、複数のＬＥＤ灯具を支柱に取り付け、その支柱を基礎架台に取り付けて構成し、前記の基礎架台を地面に傾斜や凹凸があっても支柱が垂直に設置できるような凹凸調整具を備えたことを特徴とする移動や移設が可能な太陽電池付きＬＥＤ街灯である。
【請求項２】
請求項１に記載の凹凸調整具付き基礎架台を、ベンチと兼用することで移動や移設が可能となりどんな場所にでも設置できる太陽電池付きＬＥＤ街灯である。
【請求項３】
請求項２に記載のベンチと兼用する基礎架台を、上部からみて三角形や十文字型や四角形や円形等立方形の形状にすることで倒れにくい構造となる移動や移設が可能な太陽電池付きＬＥＤ街灯である。更に、固定を確実にする為にアンカー等で地中に取り付けてもよいようにする。
【請求項４】
請求項１から請求項３に記載のベンチと兼用にする基礎架台の凹凸調整具をインサートプレートや調製ネジで構成し水平に調整できるようにすることを特徴とする移動や移設が可能な太陽電池付きＬＥＤ街灯である。
【請求項５】
請求項１から請求項４の何れかに記載の移動や移設が可能な太陽電池付きＬＥＤ街灯において、太陽電池、蓄電池、複数ＬＥＤ灯具、支柱、基礎架台等を移動や移設に便利なように複数個のブロックに分解や組み立ててできるように構成したことを特徴とする移動や移設が可能な太陽電池付きＬＥＤ街灯である。
【請求項６】
この発明は、移動や移設が可能な太陽電池付きＬＥＤ街灯である為に、防犯の面から傾斜スイッチを組み込むことによりブザー等で警告できるようにする。
【発明の詳細な説明】
【技術分野】
【０００１】本発明は、従来の街灯の設置を地中に基礎架台を埋設して一カ所に固定する設置方法であったが、この置型による方法で何処にでも自由に簡単に設置ができる移動や移設が可能な太陽電池付きＬＥＤ街灯に関する新構造・新工法となる。
【背景技術】
【０００２】従来の街灯の設置方法においては、地中に基礎架台を埋設し固定して設置するのが一般的であり、そのために土木工事及び電気配線の電設工事を伴い、手間と費用が嵩むものであった。しかも、街灯を移動や移設すること等は非常に難しいものであった。
【特許文献１】特願平６−３２９４３０移動式照明灯装置及びこの装置を用いてグランド等を照明する方法
【非特許文献１】河原忠雄、手島洋二、迎野雅行、穴見之武義著  
従来例として、車両に伸縮ブーム及びアウトリガを収納して移動できるようにした装置であり、運動場、球技場等の広いグランドの照明としては有効であるが車両を使用することで、道路や公園等の街灯としては設置するためのスペースが広く必要という欠点があり、実用上は問題がある。
【発明の開示】
【発明が解決しようとする課題】
【０００３】この発明は、自立型の太陽電池による電源としている為に、従来の街灯では電線を引き込む必要があり移動や移設等が出来にくいものであった。しかも地中に基礎架台を埋設することなく、置型の設置方法であるため街灯が外部からので圧力で倒壊しないように基礎架台に重量を持たせるためにベンチ等のような構造とし、バランスを保つようにする。
【問題を解決するための手段】
【０００４】  上記の目的を達成するために、本発明による移動や移設が可能な太陽電池付きＬＥＤ街灯の基礎架台をベンチ等の二等辺三角形型と十文字型のような形状にして、ベンチ型の自重と二等辺三角形型と十文字型等によるバランスにより街灯及び支柱の重量に耐えれる構造とすることで解決し、移動や移設を可能にする。
【発明の効果】
【０００５】以下、本発明の効果を箇条書きにまとめると以下のようになる。
１．この太陽電池付きＬＥＤ街灯は、地中に埋設する基礎工事や外部からの配線が無いので何処にでも移動・移設が可能である。
２．ＰＣコンクリート等で作った基礎架台はそれ自体で重量があり、又ベンチ等のように架台の底辺を外部に張り出すことにより、太陽電池、蓄電池、複数のＬＥＤ灯具等を上部に設置した支柱が風雨等の外部からの圧力等により倒壊しないような構造に構成できる。
３．架設の展示場・イベント場などでの従来の街灯設置は、支柱の埋め込み工事や電線の張り巡らし等、手間の掛かるものであったが、この考案により太陽電池付きＬＥＤ街灯の設置は、必要な場所に分解した部分を運送して組み立てることで完成し、支柱の埋め込みや電気の配線も不要で簡単に街灯を設置でき、展示やイベントが終了後は、他の場所へ移動や移設が可能となり、また基礎架台はベンチとして利用できるメリットは大きい。
【発明を実施するための最良の形態】
【０００６】以下、本発明の実施例について図面により説明する。
１．本発明の実施形態を示す図１の太陽電池付きＬＥＤ街灯の支柱（１）を下部のベンチ型ＰＣコンクリート製の基礎架台（２）に支柱取付けプレート板（５）と支柱取付け用インサートナット（６）で固定する。バランスについては、基礎架台（２）の重量と二等辺三角形の底辺の中央部で固定する為、街灯と外部からの圧力でも倒壊しない構造となる。
また、設置する場所が凹凸等の水平でないところにでもインサートプレート板（７）とインサートナット（４）で調整して垂直に設置できるようにした基礎架台である
２．図２は、ベンチ型基礎架台（２）の上部面（３）で両側は二等辺三角形の構造とし、もう一面の裏側の中央部の支柱取付け用プレート板（５）に太陽電池付きＬＥＤ街灯の支柱を固定する基礎架台である。
３．図３は、ベンチ型基礎架台の裏面の中央で太陽電池付きＬＥＤ街灯の支柱を支柱取付け用インサートプレート板（５）と支柱取付け用インサートナット（６）で固定する基楚架台である。また、ベンチ型の基礎架台の固定を確実にする方法としてインサートプレート板（７）をアンカー等で地中に取り付けて固定することもできる。
本発明は、上述のように簡単にどんな場所にでも、地中に基礎架台を埋設して設置することなく設置でき、しかも移動や移設が可能な太陽電池付きＬＥＤ街灯である。
【実施例１】
【０００７】  以下、添付図面に基づき、本発明の実施例を説明する。【０００８】  図１は、太陽電池付きＬＥＤ灯具及び蓄電池を取付けた街灯の支柱をベンチ式の基礎架台に設置した全体の断面図である。【０００９】  図２は、ベンチ型の基礎架台を上部から見た平面図であり、コンクリート台の座面に木部を取付け三角の一辺の真中に支柱を差し込み外側よりプレートとナットにより固定することができる。【００１０】  図３は、ベンチ型の基礎架台を側面から見た断面図であり、水平調整用インサートナットで地面の凸凹面が調整できるようになる。
【産業上の利用可能性】
【００１１】本発明は照明を、国体・博覧会等の期間開催による場合や公園・テーマパーク等の街灯として設置することに於て、基礎をベンチ構造にして移動や移設が可能なソーラー街灯に関する。
【図面の簡単な説明】
【００１２】
【図１】  本発明の実施例の外観全体及び断面図である。
【図２】  本発明の実施例の基礎架台となる上部の平面図である。
【図３】  本発明の実施例の基礎架台となる側面の断面図である。
【符号の説明】
【００１３】  １．太陽電池付きＬＥＤ街灯及び支柱
２．ベンチ型ＰＣコンクリート基礎架台
３．基礎架台の上部及びベンチ板
４．基礎架台水平調整用インサートナット
５．支柱取付け用プレート板
６．支柱取付け用インサートナット
７．基礎架台水平調整用インサートプレート
【図１】
2005056807.tif 000003
【図２】
2005056807.tif 000004
【図３】
2005056807.tif 000005